(57)【要約】      （修正有）【課題】遮水シートを海上に浮上させる為のフロート玉ブイの取り付け・取り外し施工の改善、及び、廃棄処分費の大幅な軽減を可能にする多層構造浮上型遮水シートを開発・提供する。【解決手段】遮水シート２は縦・横所定寸法を有するＰＶＣ等の防水素材から成る遮水シートと、該遮水シートの表裏交互に被覆され、且つ、重合貼着して複数枚から成る不織布等の保護マット１ａ、１ｂ、１ｃから成り、且つ、該保護マットは中央部の所定間隔空けた複数箇所の表裏片面及び全周面部にゴムやポリエステル系・塩化ビニール等の複数のテープバンド３，４，５を縫着し、且つ、それぞれのテープバンドの接合面部をボンド等の接着剤を塗布して圧着又は熱溶着して設け、且つ、保護マットの表裏に設けた遮水シートの全周部にゴムやポリエステル系・塩化ビニール等の防水部材６を貼着して保護マットを完全密閉する事で空気層を確保し、海上浮上を可能にしたものである。【選択図】図１
0003116856.tif 000002
【実用新案登録請求の範囲】
【請求項１】
護岸・廃棄物処分場等に使用する遮水シートであって、該遮水シートは縦（Ｌ）・横（Ｗ）所定寸法を有するＰＶＣ等の防水素材から成る遮水シート（２）と、該遮水シートの表裏交互に被覆され、且つ、重合貼着して複数枚から成る不織布等の保護マット（１ａ）（１ｂ）（１ｃ）から成り、且つ、該保護マット（１ａ）（１ｂ）（１ｃ）は中央部の所定間隔（ｌ）空けた複数箇所の表裏片面及び全周面部にゴムやポリエステル系・塩化ビニール等の複数のテープバンド（３）（４）（５）を縫着し、且つ、それぞれのテープバンド（３）（４）（５）の接合面部をボンド等の接着剤（ＢＯ）を塗布して圧着又は熱溶着して設け、且つ、保護マット（１ｂ）の表裏に設けた遮水シート（２）（２）の全周部にゴムやポリエステル系・塩化ビニール等の防水部材（６）を貼着して保護マット（１ｂ）を完全密閉する事で空気層を確保し、海上浮上を可能にした事を特徴とする多層構造浮上型遮水シート。
【考案の詳細な説明】
【技術分野】
【０００１】
この発明は、護岸・廃棄物処分場等に使用する多層構造浮上型遮水シートに関するものである。
【背景技術】
【０００２】
従来、多層構造の遮水シートを海上に浮かべる場合、フロート玉ブイ等の別の浮力体の浮力を利用し、遮水シートに係止して遮水シートを浮かべていた。その為、別の浮力体（フロート玉ブイ）の装備や準備に多大な工数と経費を要していた。
【０００３】
又、最近では安全・環境汚染対策の一環として、厚生省の指示により二重シートの敷設が義務付けられると共に、工期短縮、経費節減等が求められ、施工業者にとっては益々経済的に厳しく成って来ているというのが現状である。
【０００４】
そこで、これまでに出願されている特許文献を参考の為に紹介する。（特許文献１〜３  参照。）
【特許文献１】特開２００５−０４０７２９
【特許文献２】特開２００５−０９５７２０
【特許文献３】特開２００５−１４４２５１
【考案の開示】
【考案が解決しようとする課題】
【０００５】
そこで、上記課題を解決する為に、この考案は遮水シートを海上に浮上させる為のフロート玉ブイの取り付け・取り外し施工の改善、及び、廃棄処分費の大幅な軽減を可能にする多層構造浮上型遮水シートを開発・提供する事にある。
【課題を解決するための手段】
【０００６】
この課題を解決する為の手段として、遮水シートは縦・横所定寸法を有するＰＶＣ等の防水素材から成る遮水シートと、該遮水シートの表裏交互に被覆され、且つ、重合貼着して複数枚から成る不織布等の保護マットから成り、且つ、該保護マットは中央部の所定間隔空けた複数箇所の表裏片面及び全周面部にゴムやポリエステル系・塩化ビニール等の複数のテープバンドを縫着し、且つ、それぞれのテープバンドの接合面部をボンド等の接着剤を塗布して圧着又は熱溶着して設け、且つ、保護マットの表裏に設けた遮水シートの全周部にゴムやポリエステル系・塩化ビニール等の防水部材を貼着して保護マットを完全密閉する事で空気層を確保し、海上浮上を可能にしたものである。
【考案の効果】
【０００７】
この考案の効果として、縦・横所定寸法を有するＰＶＣ等の防水素材から成る遮水シートと、該遮水シートの表裏交互に被覆され、且つ、重合貼着して複数枚から成る不織布等の保護マットから成り、且つ、該保護マットは中央部の所定間隔空けた複数箇所の表裏片面及び全周面部にゴムやポリエステル系・塩化ビニール等の複数のテープバンドを縫着し、且つ、それぞれのテープバンドの接合面部をボンド等の接着剤を塗布して圧着又は熱溶着して設け、且つ、保護マットの表裏に設けた遮水シートの全周部にゴムやポリエステル系・塩化ビニール等の防水部材を貼着して保護マットを完全密閉する事で空気層を確保し、海上浮上を可能にした事で、別の浮力体であるフロート玉ブイが不要と成り、材料費及び取り付け工数が大幅に削減出来る等、極めて有益なる効果を奏するものである。
【考案を実施するための最良の形態】
【０００８】
この考案の最良の形態として、多層構造浮上型遮水シートの最大のポイントは遮水シートの重量を支える接着強度と保護マット内に海水を浸入させない為の完全密封性が要求され、その為の材料選定と接着方法の施工基準とマニュアル化が必要となる。
【実施例１】
【０００９】
そこで、この考案の一実施例を図１〜図２に基づいて詳述すると、護岸・廃棄物処分場等に使用する遮水シートであって、該遮水シートは縦（Ｌ）・横（Ｗ）所定寸法を有するＰＶＣ等の防水素材から成る遮水シート（２）と、該遮水シートの表裏交互に被覆され、且つ、重合貼着して複数枚から成る不織布等の保護マット（１ａ）（１ｂ）（１ｃ）から成り、且つ、該保護マット（１ａ）（１ｂ）（１ｃ）は中央部の所定間隔（ｌ）空けた複数箇所の表裏片面及び全周面部にゴムやポリエステル系・塩化ビニール等の複数のテープバンド（３）（４）（５）を縫着し、且つ、それぞれのテープバンド（３）（４）（５）の接合面部をボンド等の接着剤（ＢＯ）を塗布して圧着又は熱溶着して設け、且つ、保護マット（１ｂ）の表裏に設けた遮水シート（２）（２）の全周部にゴムやポリエステル系・塩化ビニール等の防水部材（６）を貼着して保護マット（１ｂ）を完全密閉する事で空気層を確保し、海上浮上を可能にした事を特徴とする多層構造浮上型遮水シートから構成される。
【００１０】
次に、この発明の詳細について説明すると、例えば図１の様に５層構造浮上型遮水シートの場合、遮水シート（２）は防水性を確保する為に、一切加工は施さず、上部と中間部と下部に位置する不織布等の保護マット（１ａ）（１ｂ）（１ｃ）にテープバンド（３）（４）（５）を縫着し、該テープバンドの接合面部にボンド等の接着剤（ＢＯ）を塗布して圧着又は熱溶着により接合する。尚、接着剤（ＢＯ）には水中でも使用可能な強力な両面テープ等を使用しても構わない。
【００１１】
又、不織布の両面、又は、上下片面に縫着するテープバンド（３）（４）（５）は、材質がゴムやポリエステル系・塩化ビニール系の接着性の高い物を使用し、幅寸法は約６０ｍｍ程度である。
【００１２】
又、遮水シートの詳細寸法について説明すると、不織布（１ａ）（１ｂ）（１ｃ）及び遮水シート（２）幅の定格寸法は２ｍのロール巻き（Ｒ）に成っていて、板厚（ｔ１）（ｔ２）は布織布が５ｍｍで、遮水シート（ＰＶＣ）が３ｍｍである。又、保護マット（１ｂ）の表裏に設けた遮水シート（２）（２）の全周部には３ｍｍ程度のゴムやポリエステル系・塩化ビニール等の防水部材（６）を貼着して保護マット（１ｂ）を完全密閉して空気層を確保し、海上浮上を可能にしたものである。そして、多層構造浮上型遮水シートは、図４に示す様に現地に搬入した後に、現場で貼り合わせ加工を施し、海上（Ｓ）へ浮上させて徐々に沖へ向けて敷設していき、最終的には全幅４０ｍ×全長５０ｍの大きさに敷設される。
【産業上の利用可能性】
【００１３】
この考案の多層構造浮上型遮水シートは、遮水シートを海上に浮上させる為のフロート玉ブイ（Ｂ）を廃止し、遮水シート自体の浮力で海上浮上させ、取り付け・取り外し施工の改善、及び、廃棄処分費の大幅な軽減を可能にする事で土木建築市場に寄与する点で産業上の利用可能性を有する。
【図面の簡単な説明】
【００１４】
【図１】この考案の一実施例を示し、多層構造浮上型遮水シートの斜視図である。
【図２】この考案の一実施例を示し、多層構造浮上型遮水シートの正面視断面図である。
【図３】この考案の使用例を示し、海上浮上時の多層構造浮上型遮水シートの正面視断面図である。
【図４】この考案の使用例を示し、現場広幅加工状況を示す斜視図である。
【図５】従来の使用例を示し、フロート玉ブイを遮水シートに取り付けて、海上浮上時の正面視断面図である。
【符号の説明】
【００１５】
１ａ  上部保護マット
１ｂ  中間部保護マット
１ｃ  下部保護マット
２  遮水シート
３  上部テープバンド
４  中間部テープバンド
５  下部テープバンド
６  防水部材
Ｂ  フロート玉ブイ
ＢＯ  ボンド等の接着剤
Ｒ  ロール巻き
Ｓ  海上
ｔ１  保護マットの板厚寸法
ｔ２  遮水シートの板厚寸法
ｌ  所定間隔
Ｌ  縦寸法
Ｗ  横寸法
【図１】
0003116856.tif 000003
【図２】
0003116856.tif 000004
【図３】
0003116856.tif 000005
【図４】
0003116856.tif 000006
【図５】
0003116856.tif 000007